(57)【要約】【課題】精密な動作制御を要することなく挟持部材により確実にテープを挟持することができ、かつ簡単な構成でかつ安価な媒体結束装置を提供する。【解決手段】紙帯押え部３０を備えた挟持部材１２の基部に形成した支持板１２ａの中心部を支持軸１４に固定し、挟持部材１３の基部に形成した支持板１３ａの中心部を支持軸１４に回転自在に取付けて、挟持部材１３が挟持部材１２に密着するようにバネで付勢すると共に、支持板１３ａに形成した突起１３ｂをストッパ１５を係合させた状態で支持軸１４と共に挟持部材１２を回転させて挟持部材１２と１３を開き、テープ供給手段から供給される紙幣結束用のテープの先端部が両挟持部材１２、１３間に進入すると、支持軸１４と共に挟持部材１２を逆回転させて挟持部材１２、１３によりテープ２を挟持し、紙帯押え部３０によりテープ２を紙幣２０に押付けながら紙幣２０の外周にテープ２を巻付けるようにした。【選択図】図３
2010126208.tif 000002
【特許請求の範囲】
【請求項１】
定型の複数枚の媒体の外周にテープを巻付けて結束する媒体結束装置において、
テープを供給するテープ供給手段と、当該テープ供給手段から供給されるテープの先端部を挟持する一対の挟持部材を有するテープ巻付け手段を備え、
前記一対の挟持部材の各々の基部に支持板を起立形成して、第１の挟持部材の支持板の中心部を支持軸に固定し、第２の挟持部材の支持板の中心部を前記支持軸に回転自在に取付けて、当該第２の挟持部材が前記第１の挟持部材に密着するようにバネで付勢すると共に、当該第２の挟持部材の支持板に突起を形成して、この突起と対応するストッパを配置し、
前記第１の挟持部材に紙帯押え部を備え、
前記突起とストッパを係合させた状態で回転手段により支持軸と共に前記第１の挟持部材を回転させることで両挟持部材を開き、前記テープ供給手段から供給されるテープの先端部が前記両挟持部材間に進入すると、前記回転手段により支持軸と共に前記第１の挟持部材を逆方向に回転させることで両挟持部材を閉じて前記テープを挟持し、前記紙帯押え部によりテープを媒体に押付けながら前記媒体の外周にテープを巻付けるようにしたことを特徴とする媒体結束装置。
【請求項２】
前記紙帯押え部は、前記支軸板側の端部に面取りを施したことを特徴とする請求項１記載の媒体結束装置。
【請求項３】
前記一対の挟持部材を前記支持軸と共に前後動手段により前後動させて、前記突起とストッパの係合とその解除を行うことを特徴とする請求項１または請求項２記載の媒体結束装置。
【発明の詳細な説明】
【技術分野】
【０００１】
本発明は、現金処理機等で計数された一定枚数の紙幣等の媒体をテープで結束する媒体結束装置に関するものである。
【背景技術】
【０００２】
銀行等の金融機関の営業店内には出納機と呼ばれる大型の現金処理機が配置され、金融機関の係員の操作により現金の入出金処理が行われるが、この現金処理機は処理機内部で計数された金種毎の一定枚数の紙幣をテープで結束する媒体結束装置、例えば紙幣結束装置を有している。
【０００３】
従来の紙幣結束装置として、ドライブローラの回転により収納部から繰出された紙帯であるテープをキャッチで保持して、その保持したテープをキャッチにより紙幣束を搬送するための搬送手段を遮るように上方へ引き上げ、引き上げられたテープの先端を上スプーンの下方への移動により紙幣束の後端面に沿って下方に折り曲げた後、下方に折り曲げられたテープを下スプーンの水平方向の移動によりさらに紙幣束の下面に沿って折り曲げることでテープを紙幣束に巻付け、そしてドライブローラを逆転することでテープの弛みを取り、カッターでテープを切断して、テープの両端部を加熱接着するようにした技術が提案されている（例えば、特許文献１参照）。
【特許文献１】特開２０００−１９０９１３
【発明の開示】
【発明が解決しようとする課題】
【０００４】
しかしながら、上述した従来の技術においては、収納部から繰出されたテープを小さな部品であるキャッチで確実に保持するために精密な動作制御が必要となり、またキャッチ、上スプーン、下スプーンという複数の部材にテープの巻き付け動作を分担させているので、部品点数が増え、装置が複雑化すると共に高価になるという問題を有している。
【課題を解決するための手段】
【０００５】
そのため、本発明は、定型の複数枚の媒体の外周にテープを巻付けて結束する媒体結束装置において、テープを供給するテープ供給手段と、テープ供給手段から供給されるテープの先端部を挟持する一対の挟持部材を有するテープ巻付け手段を備え、前記一対の挟持部材の各々の基部に支持板を起立形成して、第１の挟持部材の支持板の中心部を支持軸に固定し、第２の挟持部材の支持板の中心部を前記支持軸に回転自在に取付けて、第２の挟持部材が前記第１の挟持部材に密着するようにバネで付勢すると共に、第２の挟持部材の支持板に突起を形成して、この突起と対応するストッパを配置し、前記第１の挟持部材に紙帯押え部を備え、前記突起とストッパを係合させた状態で回転手段により支持軸と共に前記第１の挟持部材を回転させることで両挟持部材を開き、前記テープ供給手段から供給されるテープの先端部が前記両挟持部材間に進入すると、前記回転手段により支持軸と共に前記第１の挟持部材を逆方向に回転させることで両挟持部材を閉じて前記テープを挟持し、前記紙帯押え部によりテープを媒体に押付けながら前記媒体の外周にテープを巻付けるようにした。
【発明の効果】
【０００６】
このようにした本発明は、テープを供給するテープ供給手段と、テープ供給手段から供給されるテープの先端部を挟持する一対の挟持部材を有するテープ巻付け手段を備え、前記一対の挟持部材の各々の基部に支持板を起立形成して、第１の挟持部材の支持板の中心部を支持軸に固定し、第２の挟持部材の支持板の中心部を前記支持軸に回転自在に取付けて、第２の挟持部材が前記第１の挟持部材に密着するようにバネで付勢すると共に、第２の挟持部材の支持板に突起を形成して、この突起と対応するストッパを配置し、前記第１の挟持部材に紙帯押え部を備え、前記突起とストッパを係合させた状態で回転手段により支持軸と共に前記第１の挟持部材を回転させることで両挟持部材を開き、前記テープ供給手段から供給されるテープの先端部が前記両挟持部材間に進入すると、前記回転手段により支持軸と共に前記第１の挟持部材を逆方向に回転させることで両挟持部材を閉じて前記テープを挟持し、前記紙帯押え部によりテープを媒体に押付けながら当該媒体の外周にテープを巻付けるようにしたので、精密な動作制御を要することなく挟持部材により確実にテープを挟持することができ、テープが前記両挟持部材間からすり抜けることもなく安定した結束力にて結束することができるという効果が得られる。
【発明を実施するための最良の形態】
【０００７】
以下、図面を参照して本発明による媒体結束装置の実施例を説明する。
【実施例１】
【０００８】
（構成）
図１は、媒体結束装置を備えた現金処理機の構成図である。同図に示したように、現金処理機１００は、認証や取引種類の指定等の操作を行う表示操作部２２、入金部２４より入金された紙幣を認識する認識部２３、認識された紙幣を表裏反転部２１により適宜反転し集積する束集積部２５、集積された束を媒体結束装置２６に搬送する束キャリア部２０、搬送された束を帯封処理する媒体結束装置２６を同図に示したように配置し、入金された紙幣を顧客の操作により、所望の枚数の紙幣を束ねて帯封し、図示しない媒体結束装置２６の紙面奥行き側等に配置した出金口より排出するように構成されている。
【０００９】
図２は実施例１の媒体結束装置を示す概略側面図で、図３は実施例１のテープ巻付け手段を示す斜視図である。
【００１０】
図２において、１は、紙等を素材としたテープ２のロールで、このロール１は直径方向が水平になるように寝かせて配置されている。
【００１１】
３ａ〜３ｃはテープ２の送り経路に沿って配置されたテープ供給ローラ（テープ供給手段）で、ロール１から引出されたテープ２は図示しないガイドにより上方に導かれてテープ面が水平になるようにテープ供給ローラ３ａ、３ｂ間に保持され、テープ供給ローラ３ｂ、３ｃ間で斜め上方に供給されるようになっている。
【００１２】
４はテープ供給ローラ３ａ、３ｂ間でテープ２に印字を行うように設けられた印字部（印字手段）、５はテープを後述するテープ巻付け手段に案内するガイドローラ、６はテープ供給ローラ３ａとガイドローラ５との間でテープ２を切断するように配置されたカッター（切断手段）、７はテープ２に塗布してある糊を溶着させるためのヒータ（溶着手段）である。
【００１３】
８は下部搬送ベルト、９は上部搬送ベルトで、それぞれ複数のローラにより支持されており、後述する紙幣束の搬送経路に沿って配置されている。
【００１４】
この下部搬送ベルト８と上部搬送ベルト９は紙幣束を挟持して搬送する搬送手段を構成し、上部搬送ベルト９は図示しない回動手段によってローラ１０を中心に上下方向に回動できるようになっている。
【００１５】
１１はテープ２の先端部を挟持して紙幣束に巻付けるテープ巻付け手段で、下部搬送ベルト８と上部搬送ベルト９から成る搬送手段の上流側一側に配置され、その下方にヒータ７が所定の方向に移動するように設けられている。
【００１６】
このテープ巻付け手段１１は、図３に示したように挟持部材１２と１３より成り、挟持部材１２と１３の各々の基部には円板状等の支持板１２ａと１３ａがほぼ直角に起立するように形成されている。挟持部材１２には同図に示したような紙帯押え部３０が備えられている。
【００１７】
この支持板１２ａと１３ａの中心部には取付け孔が設けられていて、支持板１２ａはその取付け孔を支持軸１４と嵌合させて支持軸１４に固定され、一方、支持板１３ａは取付け孔により支持軸１４に回転自在に取付けられると共に、図示しないトーションバネ等により矢印Ａ方向に付勢されている。
【００１８】
これにより挟持部材１３が挟持部材１２と密着するようにしており、その状態で支持軸１４がモータやギア等による図示しない回転手段により回転することで挟持部材１２と１３は支持軸１４を中心に矢印Ａ、Ｂ方向に回転するものとなっている。
【００１９】
また、支持軸１４は図示しないフレームに設けた支持穴に挿通されていて、モータやギアあるいはソレノイド等による図示しない前後動手段により矢印Ｃ、Ｄで示したように前後方向に移動可能となっており、挟持部材１２と１３も支持軸１４と一体に矢印Ｃ、Ｄ方向に移動するものとなっている。
【００２０】
さらに、挟持部材１３の支持板１３ａの外周部所定個所に突起１３ｂが設けられており、この突起１３ｂと対応するストッパ１５が前記フレームから突出するように形成されていて、例えば、挟持部材１２と１３を支持軸１４と共に矢印Ｃ方向に移動させて回転させたときは突起１３ｂはストッパ１５に係合せず、挟持部材１２と１３を支持軸１４と共に矢印Ｄ方向に移動させて回転させたときは突起１３ｂがストッパ１５に係合するものとなっている。
【００２１】
そして、挟持部材１３の突起１３ｂをストッパ１５に係合させた状態で、支持軸１４を図示しない回転手段により回転させると、挟持部材１２のみが支持軸１４と共に矢印Ａ、Ｂ方向に回転し、これにより挟持部材１２が挟持部材１３に対して開閉するものとなっている。
【００２２】
再び図２に戻って、このような構成によるテープ巻付け手段１１は挟持部材１２と１３が下部搬送ベルト８と上部搬送ベルト９に干渉しないように配置されており、下部搬送ベルト８と上部搬送ベルト９により搬送される紙幣束の下側（片面側）となる位置を初期位置としている。
【００２３】
（動作）
上述した構成による実施例の動作を図４〜図１２を用いて説明する。図４は実施例１の媒体結束装置の動作を示すテープ送り時の側面図、図５はテープ巻付け手段１１の開閉工程を示す斜視図、図６はテープ巻付け手段１１の反転動作時の側面図、図７はテープ巻付け手段１１が反転した状態を示す斜視図、図８はテープ巻付け動作時の側面図、図９はテープ巻付け手段１１によるテープ巻付け工程を示す側面図、図１０はテープ巻付け終了時の側面図、図１１はテープ溶着時の状態を示す側面図、図１２は図１１のテープ溶着時の状態を下側から見た図である。
【００２４】
なお、以下に説明する各部の動作は、図示しない記憶部に格納されたソフトウェア等の制御プログラムに基づいて図示しない制御部により制御される。
【００２５】
まず、図４に示すようにロール１から引出されたテープ２がテープ供給ローラ３ａ〜３ｃにより挟持され、テープ２の先端がカッター６による切断位置に停止している状態において、テープ供給ローラ３ａ〜３ｃの回転によりテープ２が送り経路に沿って供給される。
【００２６】
このテープ供給に伴ってテープ供給ローラ３ａ、３ｂ間で印字部４によりテープ２に日付や当該現金処理機が設置されている支店名等が印字される。
【００２７】
また、テープ２が供給されることで、テープ２の先端部は図示しないガイドに導かれてガイドローラ５に挟持され、さらにこのガイドローラ５の回転によりテープ２の先端部はテープ巻付け手段１１に向かって送られる。
【００２８】
このとき搬送手段の上部搬送ベルト９はローラ１０を中心に所定角度上方に回動して開いた状態で待機しており、またテープ巻付け手段１１は、挟持部材１２、１３が図５（ａ）に示すように開いた状態で初期位置に待機している。
【００２９】
ここで、挟持部材１２、１３を開く動作について説明する。まず、図示しない前後動手段により支持軸１４と共に挟持部材１２と１３を図３に示す矢印Ｃ方向に移動させ、その後、図示しない回転手段により支持軸１４を図３に示す矢印Ｂ方向（時計回り方向）に回転させることで、挟持部材１２と１３を矢印Ｂ方向（時計回り方向）に回転させる。
【００３０】
そして、挟持部材１３の突起１３ｂがストッパ１５を過ぎた位置で支持軸１４及び挟持部材１２と１３の回転が停止され、図示しない前後動手段により挟持部材１２と１３を支持軸１４と共に矢印Ｄ方向に移動させた後、図示しない回転手段により支持軸１４と共に挟持部材１２と１３を図３に示す矢印Ａ方向（反時計回り方向）に回転させると、挟持部材１３の突起１３ｂがストッパ１５に突き当たって係合する。
【００３１】
これにより挟持部材１３の回転が停止され、挟持部材１２のみが支持軸１４と共に矢印Ａ方向に回転するため、挟持部材１２が挟持部材１３から離れて、挟持部材１２と１３が開かれる。
【００３２】
この状態でテープ２の先端部が挟持部材１２、１３間に進入すると、図示しない回転手段により支持軸１４と共に挟持部材１２が矢印Ｂ方向に回転して挟持部材１２、１３が図５（ｂ）に示すように閉じ、テープ２の先端部を挟持する。
【００３３】
次に、前後動手段により支持軸１４と共に挟持部材１２と１３を図３に示す矢印Ｃ方向に移動させて挟持部材１３の突起１３ｂをストッパ１５から外した後、テープ供給ローラ３ａ〜３ｃによりテープ２を供給しながら、図示しない回転手段により支持軸１４を中心に挟持部材１２、１３を図５（ｂ）に示す矢印Ｂ方向に略半回転（約１８０度回転）させ、これにより図６に示すようにテープ巻付け手段１１を紙幣束２０の搬送経路を横切らせて前記テープ２を前記紙幣束２０の搬送経路を遮るように伸ばすと共に、図７に示したようにテープ巻付け手段１１を上下に反転させる。
【００３４】
そして、図示しない手段により外形を揃えて上下に積層された複数枚の紙幣からなる紙幣束２０が図示しない手段により搬送手段の下部搬送ベルト８と上部搬送ベルト９の間に送り込まれてくると、上部搬送ベルト９はローラ１０を中心に下方に回動して下部搬送ベルト８との間に紙幣束２０を挟持する。
【００３５】
その後、上下の搬送ベルト８、９が図示しないベルト駆動手段により駆動されて回転し、これにより紙幣束２０が図７に示した矢印Ｘ方向に搬送されるが、その際、紙幣束２０は前端面でテープ２を押込み、このときのテープ供給ローラ３ａ〜３ｃの回転によりテープ２の供給が行われることで、テープ２は図８に示したように紙幣束２０の上下を覆うように引出される。
【００３６】
搬送ベルト８、９は紙幣束２０を所定距離だけ搬送した後停止されるが、このときの紙幣束２０の停止は、その停止位置付近に設けた図示しない位置確認センサが紙幣束２０を検知したときの信号に基づいて制御される。
【００３７】
次に、テープ供給ローラ３ａ〜３ｃの回転によりテープ２を供給しながら、支持軸１４を中心に挟持部材１２、１３を回転手段により矢印Ｂ方向にもう半回転（１８０度回転）させ、これによりテープ巻付け手段１１を図９（ａ）に示したように紙幣束２０の後端上方から搬送経路を横切って図９（ｂ）に示したように紙幣束２０の後端下方に回り込むように移動させて初期位置に戻すと共にテープ巻付け手段１１を再び上下に反転させる。
【００３８】
この動作により紙幣束２０の後端がテープ２で囲い込まれ、その後、テープ供給ローラ３ａ〜３ｃの回転によりテープ２を送出しながら上下の搬送ベルト８、９が図示しないベルト駆動手段により逆方向に駆動されて回転する。
【００３９】
これにより紙幣束２０が逆方向に搬送されることで、図１０ないし図１２に示したようにテープ２が紙幣束２０を一周するように巻付けられ、図１１の矢印Ｆのようにテープ２を締め付けると同図ａ部にて紙幣押え部３０によりテープ２が紙幣束２０に押付けられ、テープ２が緩むことなく安定した結束力にて結束され、その後、カッター６を動作させてテープ２をその両端部が重なり合う長さに切断し、さらに、図１１に示したようにヒータ７を図示しないヒータ駆動手段により矢印Ｅ方向に動作させてテープ２の重なり合った部分を下方から押圧しながらテープ２に塗布されている糊を熱溶着させてテープ２の重なり合った部分を接着する。
【００４０】
このようにして紙幣束２０をテープ２で結束した後、前記と同様の動作で挟持部材１２を挟持部材１３から離れるように矢印Ａ方向に少し移動してテープ２を挟持力から開放し、テープ巻付け手段１１を図３や図１２に示した矢印Ｃ方向に移動させてテープ２から引抜く。そして、搬送ベルト８、９をベルト駆動手段により駆動して紙幣束２０を搬送し、図示しない排出口から排出する。
【００４１】
（実施例１の効果）
以上説明した実施例１の媒体結束装置によると、テープを供給するテープ供給手段と、テープ供給手段から供給されるテープの先端部を挟持する一対の挟持部材を有するテープ巻付け手段を備え、前記一対の挟持部材の各々の基部に支持板を起立形成して、第１の挟持部材の支持板の中心部を支持軸に固定し、第２の挟持部材の支持板の中心部を前記支持軸に回転自在に取付けて、第２の挟持部材が前記第１の挟持部材に密着するようにバネで付勢すると共に、第２の挟持部材の支持板に突起を形成して、この突起と対応するストッパを配置し、前記第１の挟持部材の支持軸側に紙帯押え部を備え、前記突起とストッパを係合させた状態で回転手段により支持軸と共に前記第１の挟持部材を回転させることで両挟持部材を開き、前記テープ供給手段から供給されるテープの先端部が前記両挟持部材間に進入すると、前記回転手段により支持軸と共に前記第１の挟持部材を逆方向に回転させることにより両挟持部材を閉じて前記テープを挟持し、紙帯押え部によりテープを紙幣束に押付けながら紙幣束の外周にテープを巻付けるようにしたので、精密な動作制御を要することなく挟持部材により確実にテープを挟持することができ、テープが前記両挟持部材間からすり抜けることもなく安定した結束力にて結束することができるという効果が得られる。
【実施例２】
【００４２】
（構成）
実施例２の媒体結束装置は、媒体結束装置２６のテープ巻付け手段１１の紙帯押え部３０の構成が異なっている。その他の構成は、実施例１と同様であるので、簡略化のためにその詳細な説明を省略する。図１３は実施例２のテープ巻付け手段を示す斜視図であり、図１４は実施例２のテープ巻付け手段のテープ溶着時の状態を示すテープ巻付け手段の下面図である。
【００４３】
同図に示したように、実施例２のテープ巻付け手段１１は、挟持部材１２に備えられた紙帯押え部３０の支持板１２ａ、１３ａ側の支持板側の端部に面取り３０ｘが設けられている。
【００４４】
（作用）
以上の構成により実施例２の媒体結束装置は、以下のように作用する。すなわち、図１３および図１４に示したように、実施例２のテープ巻付け手段１１の挟持部材１２に備えられた紙帯押え部３０の支持板側の端部に面取り３０ｘが施されているので、紙幣束２０をテープ２で結束した後に挟持部材１２、１３を矢印Ｃ方向に移動し挟持部材１２、１３を引き抜く際にテープ２が紙押え部３０に引っ掛かることがない。
【００４５】
（実施例２の効果）
以上のように、実施例２の媒体結束装置によれば、支持軸に連結された挟持部材に備えた紙帯押え部の支軸板側の端部を面取りするようにしたので、挟持部材を前記支持軸と共に前後動手段により前後動させて引き抜く際にテープが紙押え部に引っ掛かることがない。
【産業上の利用可能性】
【００４６】
本発明は、現金処理機等で計数された一定枚数の紙幣等の媒体をテープで結束する媒体結束装置に広く用いることができる。
【図面の簡単な説明】
【００４７】
【図１】現金処理機の構成図である。
【図２】実施例１の媒体結束装置を示す概略側面図である。
【図３】実施例１のテープ巻付け手段を示す斜視図である。
【図４】実施例１の媒体結束装置の動作を示すテープ送り時の側面図である。
【図５】実施例１のテープ巻付け手段の開閉工程を示す斜視図である。
【図６】実施例１のテープ巻付け手段の反転動作時の側面図である。
【図７】実施例１のテープ巻付け手段が反転した状態を示す斜視図である。
【図８】実施例１のテープ巻付け動作時の側面図である。
【図９】実施例１のテープ巻付け手段によるテープ巻付け工程を示す側面図である。
【図１０】実施例１のテープ巻付け終了時の側面図である。
【図１１】実施例１のテープ溶着時の状態を示す側面図である。
【図１２】実施例１のテープ溶着時の状態を示す下面図である。
【図１３】実施例２のテープ巻付け手段を示す斜視図である。
【図１４】実施例２のテープ溶着時の状態を示す下面図である。
【符号の説明】
【００４８】
１  ロール
２  テープ
３ａ〜３ｃ  テープ供給ローラ
４  印字部
５  ガイドローラ
６  カッター
７  ヒータ
８  下部搬送ベルト
９  上部搬送ベルト
１０  ローラ
１１  テープ巻付け手段
１２、１３  挟持部材
１２ａ、１３ａ  支持板
１３ｂ  突起
１４  支持軸
１５  ストッパ
２０  紙幣束
２６  媒体結束装置
３０  紙帯押え部
３０ｘ  面取り
【図１】
2010126208.tif 000003
【図２】
2010126208.tif 000004
【図３】
2010126208.tif 000005
【図４】
2010126208.tif 000006
【図５】
2010126208.tif 000007
【図６】
2010126208.tif 000008
【図７】
2010126208.tif 000009
【図８】
2010126208.tif 000010
【図９】
2010126208.tif 000011
【図１０】
2010126208.tif 000012
【図１１】
2010126208.tif 000013
【図１２】
2010126208.tif 000014
【図１３】
2010126208.tif 000015
【図１４】
2010126208.tif 000016